(57)【特許請求の範囲】
【請求項１】
外部入力端子とＩ２Ｃ送信コントローラを有する映像表示装置と、ＭＰＥＧデコーダと、前記外部入力端子に前記ＭＰＥＧデコーダでデコードされた映像を出力する映像出力端子と、Ｉ２Ｃ受信コントローラを有する映像出力機器が前記Ｉ２Ｃ受信コンとローラと前記Ｉ２Ｃ送信コントローラを結ぶ制御バスによって接続された機器間制御装置において、前記映像表示装置が前記外部入力端子へ入力を切り替えた際に制御バスを介して前記映像出力機器の識別番号を読み込み、該識別番号に応じたアイコンイメージを前記映像表示装置が、前記映像信号とオンスクリーンに重畳して表示することを特徴とする機器間制御装置。
【請求項２】
前記アイコンイメージが制御バスを介して映像出力機器から映像表示装置側へ転送されることを特徴とする請求項１記載の機器間制御装置。
【発明の詳細な説明】
【０００１】
【発明の属する技術分野】
本発明は、テレビモニタのような映像表示機器と、セットトップボックスやＤＶＤプレーヤーのような映像出力機器とを有線で接続する系における機器間制御装置および方法であり、特にはシリアルバスをもつ接続方法に関する。
【０００２】
【従来の技術】
近年、セットトップボックス（以降ＳＴＢと称する）とテレビの接続のように、映像の表示装置と受信装置が一体型ではない形の接続形態をとることが、サービスの多様化と共に多くなってきている。
【０００３】
以下図５を用いて従来の機器制御方法について説明する。同図において５０１はＤＶＤプレーヤー、５０２は光ディスクユニット（以降ＯＤＵと称する）、５０３はＯＤＵに接続され圧縮ストリームから画像を再構成するＭＰＥＧデコーダ、５０４はＤＶＤプレーヤを制御するＣＰＵ、５０５はＤＶＤプレーヤが持っているリモコンインタフェース、５０６はＤＶＤプレーヤに付属のリモコン、５０７はＭＰＥＧデコーダ５０３が出力する映像信号をＤＶＤプレーヤ外部に出力する映像出力端子、５０８はＤＶＤプレーヤから出力された映像信号をテレビに入力する外部入力端子、５０９はテレビ内蔵のチュ−ナー、５１０はチューナーからの映像信号と外部入力端子からの映像信号とを切替える入力セレクタ、５１１は入力セレクタの出力信号に対して信号処理を行う表示プロセッサ、５１２は表示プロセッサの出力を表示するＣＲＴなどの表示デバイス、５１３はテレビを制御するＣＰＵ、５１４はテレビのリモコンインタフェース、５１５はテレビに付属のリモコン、５１６はこれらを組み合せて構成されるテレビである。
（ＤＶＤリモコンとＴＶリモコンで使い分けて入力切替＋再生をする手順の説明）
簡単のためユーザーがＤＶＤプレーヤを再生操作したい場合を例に従来例の動作説明をする。まずユーザーはテレビのリモコン５１５を操作し、リモコンインタフェース５１４からホストバスを介してＣＰＵに対し、入力セレクタ５１０を外部入力端子５０８からの信号を通過させるように制御する。
【０００４】
次にユーザはＤＶＤプレーヤのリモコン５０６を操作し、"再生"ボタンを押す。リモコンインタフェース５０５は"再生"ボタンが押されたことをＣＰＵ５０４へ"再生"を通知し、ＣＰＵ５０４は再生動作を行うようにＯＤＵ５０２及びＭＰＥＧデコーダ５０３に対してしかるべき制御を行う。その結果、映像出力端子５０７に再生された映像信号が流れ、結果外部入力端子５０８および入力セレクタ５１０、表示プロセッサ５１１を経由して表示デバイス５１２に再生画像が表示される。以上によって所望の再生動作を行うことができる。
【０００５】
【発明が解決しようとする課題】
しかしながら上記従来の構成では、系全体を制御するにはテレビのリモコンに加えてＤＶＤプレーヤのリモコンも合わせて持たなければいけない。またＤＶＤプレーヤのリモコンはテレビに向かってではなくＤＶＤプレーヤに向かって操作しなければならない。つまりユーザーは所望の制御をするためにはリモコンを２つ持たねばならず、又、どちらのリモコンを操作すべきかはユーザがその都度選択しながら操作する、という複雑な作業を必要としていた。
【０００６】
本発明は上記従来の問題点を解決するもので、表示装置とＳＴＢ又はＤＶＤプレーヤーの間をＩ２Ｃのようなシリアルバスで接続し、表示装置側からＳＴＢ又はＤＶＤプレーヤー側へコマンドを送ることによりＳＴＢ又はＤＶＤプレーヤーの制御ができるようにすることを目的とする。
【０００７】
【課題を解決するための手段】
この目的を達成するために本発明の機器間制御装置は、外部入力端子とＩ２Ｃ送信コントローラを有する映像表示装置と、ＭＰＥＧデコーダと、前記外部入力端子に前記ＭＰＥＧデコーダでデコードされた映像を出力する映像出力端子と、Ｉ２Ｃ受信コントローラを有する映像出力機器が前記Ｉ２Ｃ受信コンとローラと前記Ｉ２Ｃ送信コントローラを結ぶ制御バスによって接続された機器間制御装置において、前記映像表示装置が前記外部入力端子へ入力を切り替えた際に制御バスを介して前記映像出力機器の識別番号を読み込み、該識別番号に応じたアイコンイメージを前記映像表示装置が、前記映像信号とオンスクリーンに重畳して表示することを特徴とする機器間制御装置とした。
【０００８】
【発明の実施の形態】
以下本発明の実施例について、図面に基づいて説明する。
【０００９】
（参考例１）
図１は参考例１における機器間制御装置の構成を示すブロック図である。図１において１０１はＤＶＤプレーヤー、１０２は光ディスクユニット（以降ＯＤＵと称する）、１０３はＯＤＵに接続され圧縮ストリームから画像を再構成するＭＰＥＧデコーダ、１０４はＤＶＤプレーヤを制御するＣＰＵ、１０５はＤＶＤプレーヤが持っているリモコンインタフェース、１０６はＩ２Ｃ信号を受信してその信号をＤＶＤプレーヤのリモコンコマンドに変換しリモコンインタフェース１０５へ送るＩ２Ｃ受信コントローラ、１０７はＭＰＥＧデコーダ１０３が出力する映像信号をＤＶＤプレーヤ外部に出力する映像出力端子、１０８はＤＶＤプレーヤから出力された映像信号をテレビに入力する外部入力端子、１０９はテレビ内蔵のチュ−ナー、１１０はチューナーからの映像信号と外部入力端子からの映像信号とを切替える入力セレクタ、１１１は入力セレクタの出力信号に対して信号処理を行う表示プロセッサ、１１２は表示プロセッサの出力を表示するＣＲＴなどの表示デバイス、１１３はテレビを制御するＣＰＵ、１１４はテレビのリモコンインタフェース、１１５はテレビに付属のリモコンで通常のテレビ制御用ボタンに加えて"再生"、"停止"、"早送り"、"巻戻"などのボタンを備えているもの、１１６はリモコンインタフェース１１４からの信号をＩ２Ｃプロトコルに変換して出力するＩ２Ｃ送信コントローラ、１１７はこれらを組み合せて構成されるテレビである。
【００１０】
以上のように構成されたデジタル信号受信装置について図１を用いて説明する。
【００１１】
図２はＩ２Ｃ送信コントローラによるリモコンコマンドからＩ２Ｃレジスタ値への変換テーブルの一例である。
【００１２】
簡単のためユーザーがＤＶＤプレーヤを再生操作したい場合を例に本参考例の動作説明をする。まずユーザーはテレビのリモコン１１５を操作し、リモコンインタフェース１１４からホストバスを介してＣＰＵに対し、入力セレクタ１１０を外部入力端子１０８からの信号を通過させるように制御する。ここまでは従来のテレビの付属リモコンによる入力切替操作と同じである。
【００１３】
次にユーザはテレビのリモコン１１５を操作し、"再生"ボタンを押す。リモコンインタフェース１１４は"再生"ボタンが押されたことをＩ２Ｃ送信コントローラ１１６へ通知する。Ｉ２Ｃ送信コントローラ１１６は図２に示す変換テーブルにしたがって、例えば本例の"再生"は 0xf0番地に0x03を書き込むことに対応するから、Ｉ２Ｃバス１１７を介してＤＶＤプレーヤのＩ２Ｃ受信コントローラの0xf0番地へ0x03の書き込みを行う。
【００１４】
Ｉ２Ｃ受信コントローラ１０６は書き込まれたことを認識してリモコンインタフェース１０５に対してＤＶＤプレーヤの"再生"コマンドを送る。リモコンインタフェース１０５は受光部から"再生"コマンドを受けた時と全く同様に、ＣＰＵ１０４へ"再生"を通知し、ＣＰＵ１０４は再生動作を行うようにＯＤＮ１０２及びＭＰＥＧデコーダ１０３に対してしかるべき制御を行う。その結果、映像出力端子１０７に再生された映像信号が流れ、結果外部入力端子１０８および入力セレクタ１１０、表示プロセッサ１１１を経由して表示デバイス１１２に再生画像が表示される。
【００１５】
以上により、テレビ付属のリモコン１１５からの制御のみでＤＶＤプレーヤからの動画再生制御を可能とすることができる。
【００１６】
なお、Ｉ２Ｃ線上に流す信号は図２のようなレジスタ値の表ではなく、ＩＥＥＥ１３９４パススルーコマンドそのものを流しても良い。ＩＥＥＥ１３９４パススルーコマンドを流すことにより、ＤＶＤプレーヤ１０１に対してさらにＩＥＥＥ１３９４で接続されたＳＴＢを制御する場合に、ＤＶＤプレーヤ内でリモコンコマンドを再度パススルーコマンドに変換する必要なくＳＴＢへ転送できるメリットがある。
【００１７】
（実施の形態１）
図３は本発明の第１の実施例における機器間制御装置の構成を示すブロック図である。図３において３０１は機器ＩＤ番号とそのＩＤに対応したアイコンイメージを記憶しているフラッシュメモリ、３０２は内部にＩＤ番号を記憶したＲＯＭ部を持つＩ２Ｃ受信コントローラであり、その他の構成要素は参考例１と全く同様で各ブロックの動作も同じである。
【００１８】
以上のように構成された機器間制御装置について図３、４を用いて説明する。図４は各ＩＤ番号が何の機器を表しているかを示した一例である。
【００１９】
簡単のためＩ２Ｃ受信コントローラ３０２の0xf1番地に機器ＩＤが格納されているとする。今の場合ＤＶＤプレーヤであると仮定しているから図４より0x03である。まずユーザーはテレビのリモコン１１５を操作し、リモコンインタフェース１１４からホストバスを介してＣＰＵに対し、入力セレクタ１１０を外部入力端子１０８からの信号を通過させるように制御する。ここまでは従来のテレビの付属リモコンによる入力切替操作と同じである。
【００２０】
テレビのＣＰＵ１１３が入力セレクタを外部入力端子１０８に設定した時点でＣＰＵ１１３は同時にＩ２Ｃバスを経由し被接続機器、今の場合はＤＶＤプレーヤ側の持つ機器ＩＤを読み込むように動作する。図4の対応関係より0xf1番地を読み込むと0x03が読み込める。ＣＰＵ１１３は値0x03とフラッシュメモリの内容とを比較することで、被接続機器はＤＶＤプレーヤであることを認識できる。ＣＰＵ１１３はフラッシュメモリに格納されているＤＶＤプレーヤのアイコンイメージを展開し表示プロセッサで映像信号にオンスクリーン重畳して表示し、現在セレクトされている外部入力がＤＶＤプレーヤであることをユーザに知らせることができる。
【００２１】
以上により、本第１の実施例により、外部ポートに何がつながっているかを視覚的にユーザが知ることが可能となる。
【００２２】
なお、機器ＩＤがテレビが製造された時点では無かった新規の商品であるような場合には、同Ｉ２Ｃバスを使って機器ＩＤとその機器イメージデータをＤＶＤプレーヤ側からテレビ側へと転送することで、テレビ側フラッシュメモリを更新し、新たなアイコンをテレビ側に作成することができる。
【００２３】
また、機器コードはＩＥＥＥ１３９４を搭載した機器ではすでに規格化されているのでその値を踏襲することでＤＶＤプレーヤ側のメモリを増やさず本実施例を実現できる。
【００２４】
またテレビのリモコンには少なくとも"上"、"下"、"左"、"右"キーおよび"決定"キーを準備しておく。ＤＶＤプレーヤのような信号源側に、テレビの出荷時に付属のリモコンに割り当てられていないような新機能が存在するような場合に、ＤＶＤプレーヤ側がオンスクリーンメニューを出し現在選択されているボタンをオンスクリーン上でハイライト表示する。それに対して本実施例の方法でリモコンキーの押下情報をＤＶＤプレーヤに伝えることで、ハイライト位置が変わり、決定キーを押された時点での機能がＤＶＤプレーヤで実現することができるようになる。
【００２５】
【発明の効果】
以上のように本発明によれば、外部ポートに何がつながっているかを視覚的にユーザが知ることが可能となる。
【図面の簡単な説明】
【図１】  参考例１における機器間制御装置のブロック図
【図２】  参考例１の動作を説明するための説明図
【図３】  本発明第１の実施例における機器間制御装置のブロック図
【図４】  第１の実施例の動作を説明するための説明図
【図５】  従来例を示す図
【符号の説明】
１０１  ＤＶＤプレーヤー
１０２  光ディスクユニット
１０３  ＭＰＥＧデコーダ
１０４  ＣＰＵ
１０５  リモコンインタフェース
１０６  Ｉ２Ｃ受信コントローラ
１０７  映像出力端子
１０８  外部入力端子
１０９  内蔵チュ−ナー
１１０  入力セレクタ
１１１  表示プロセッサ
１１２  表示デバイス
１１３  ＣＰＵ
１１４  リモコンインタフェース
１１５  リモコン
１１６  Ｉ２Ｃ送信コントローラ
１１７  テレビ
【図１】
0004774642.tif 000002
【図２】
0004774642.tif 000003
【図３】
0004774642.tif 000004
【図４】
0004774642.tif 000005
【図５】
0004774642.tif 000006